(57)【要約】【課題】  へアーブラシ柄の部分は折りたたみ自在、ブラシの部分は倒立自在で、全長は短く、超薄型の携帯に便利なヘアーブラシを提供する。【解決手段】  ブラシと両端に支ピンと軸方向にはギヤを設けた一体成型の細いシャフトのギヤを、平たいパネルに設けたラックギヤに組み合わせ、使用時は折りたたんだ柄になる部分を起こすとき、ラックギヤのパネルがスライドし、細いシャフトが90°回転するとブラシが直立し、使用後は柄になる部分を折りたたむと同時にラックギヤのパネルが逆スライドし、細いシャフトが90°逆回転するとブラシは平に倒れるよう、ブラシを倒立自在にして超薄型の携帯型にしたことを特徴とするヘアーブラシ。【選択図】  図１
2007296175.tif 000002
【特許請求の範囲】
【請求項１】
一体成型で両端に支ピンとブラシと軸方向にはギヤを設けた細いシャフトのギヤ部を、平たいパネルに設けたラックギヤに組み合わせ、平たいパネルをスライドさせることで、細いシャフトが90°回転しブラシが直立し、90°逆回転するとブラシは水平に倒れるように、ブラシを倒立自在にすることを特徴とする携帯型、超薄型のヘアーブラシ。
【発明の詳細な説明】
【技術分野】
【０００１】
本発明はヘアーブラシの柄の部分は折りたたみ自在、ブラシ部も倒立自在にし、ヘアーブラシを使用する時、柄を開くと同時にブラシが立つ、使用後柄を折りたたむと同時にブラシが倒れ、全体が短くなり全体が薄くなる、かさばらない携帯に便利なヘアーブラシに関するものである。
【背景技術】
【０００２】
従来のヘアーブラシは柄を折りたたみ全長だけを短くするものはあったが、柄とブラシの両方を折りたたんで、ヘアーブラシ全体を短く薄くできるものはなかった。
【発明の開示】
【発明が解決しようとする課題】
【０００３】
頭髪は思わぬ動作や風などで乱れ易く身だしが悪くなり易いものであり、特に外出時などは時々ヘアーブラシで頭髪を整えたい場合が多いのだが、整髪用具として従来のヘアーブラシはかさばるためポケットなどに携帯できるのは薄型の櫛程度である。
【０００４】
特に長髪になると櫛ではなくヘアーブラシが断然使いやすい。従来のヘアーブラシはポケットに入れて持ち歩くにはかさばり、携帯には不向きである。
【０００５】
ブラシや櫛は、頭髪をブラッシングすると頭皮の脂質が付着するため、数人で共用するには衛生的に配慮が必要で、最近はホテル等でも持ち帰り用の櫛は備えあるがヘアーブラシの備えは少なく、宿泊時不便している。
【０００６】
本発明は、上記の問題点を解決するためなされたものである。
【課題を解決するための手段】
【０００７】
発明のヘアーブラシは、両端に支ピンとブラシと軸方向にはギヤを設けた一体成型の細いシャフトが90°回転するとブラシは立ち上がり、90°逆転するとブラシは倒れる。
【０００８】
上記の細いシャフトには、±45°だけ回転できるギヤを軸方向に設ける。
細いシャフトのギヤを、平たい板状のラックパネルに設けたラックギヤに咬み合わせて、折りたたんだブラシの柄となる部分を起こす、たたむ、の動作で板状のラックパネルをスライドさせることで、細いシャフトを回転させ、シャフトに設けたブラシを倒立自在に動かす。
【０００９】
ブラシとラックパネルを適時のタイミングで動かすために、独特なカム形状とカム溝により、ヘアーブラシの柄となるキャップが開の方向へ90°回転するまでラックパネルとブラシは動かず、90°から180°開に回転する時、ラックパネルのスライドによりラックにかみ合った細いシャフトのギヤが回転し、細いシャフトに設けたブラシが完全に立ち上がる。
【００１０】
また、ヘアーブラシの柄となるキャップを折りたたむ間の、開度160°付近から開度60°付近にかけてラックパネルはスライドし、ブラシは完全に倒れ、キャップの内部に納まる。
【００１１】
以上のような仕組みから超薄型で携帯に便利なヘアーブラシになることを特徴とする。
【発明の効果】
【００１２】
超薄型のヘアーブラシのため、かさばらず携帯に便利で、何時でも、どこでも、必要に応じて頭髪を整えることができる。
【００１３】
かさばらず個人専用携帯常備品として使用できるため、衛生面も含めて安心であり、ホテルに宿泊する場合ルーム備品としてヘアーブラシが無い時も不便しないための旅行用品になる。
【００１４】
本発明のヘアーブラシは、手鏡や爪ヤスリなどの身だしなみ道具としての追加加工と、形状デザインや美装デザインがし施し易いため、身だしなみ携帯用具として便利であるとともに、美装デザインは安価でできるウォータープリント表面加工や高価な鼈甲製等、折りたたみ式ハンドル内側には家族や友人の写真の貼付等、工夫次第で携帯おしゃれグッツやマスコット的なものとしても楽しめる。
【００１５】
女性の多くはハンドバックに手鏡を準備しているが、その手鏡と超薄型ヘアーブラシを一体化することで、発明の超薄型ヘアーブラシのキャップハンドル(２３)の表面か内部を鏡に、又は本体裏面を鏡にし、手鏡感覚で携帯できる、「ヘアーブラッシングができる手鏡」の便利性を得ることができる。
【発明を実施するための最良の形態】
【００１６】
以下、本発明の実施の形態を説明する。
（ア）  図７は、細く短い軸の両端に、支ピン(３)と、軸中心から外周に向かって水平かつ軸方向と直角に設けた１本のブラシ(１)と、図１８の通り軸中心からブラシ(１)の付け根部を結ぶ線(Ｅ)から−１３５°の位置を中心にして±４５°間(Ｄ)にピニオンギヤ(４)を設けた、柔軟性素材で一体成型したピニオンブラシ(６)である。
（イ）  図８は、細長い軸の両端に支ピン(３)と、軸方向に一列に設けた６本の各ブラシ(１)と、各ブラシ(１)の中間に切り欠き(７) を５個と、上記(イ)の要領のピニオンギヤ(４)を設けた、柔軟性素材で一体成型のピニオンシャフトＢ(８)である。
（ウ）  ピニオンシャフトＢ(８)のピニオンギヤ(４)は、図１０のラックギヤ(１１)に嵌合し回転するように、軸の両側に設け中央部はギヤにしないで切り欠の状態にする。
（エ）  図９に示すピニオンシャフトＡ(１０)は、ブラシ(１)が５本、切り欠き(７)が６個であること以外は上記(イ)(ウ)と同じである。
（オ）  図１０に示す平たい板状のラックベース(５)の片端中央に、ヒンジフック(１２)と、ヒンジフック(１２)にカム溝(１３)を設け、板状部にはピニオンギヤ(４)が嵌合する応分数のラックギヤを設けて一体成型する。
（カ）  図１３に示すブラシボデー(１４)は、断面形状が図１６で示す図ｂの箱型、もしくは図ａのＣ形チャンネル型とし、片端にヒンジ部(１５)とその中にヒンジ穴Ａ(１６)と、両側面に所定間隔で所定数の支ピン穴(１７)とオープンノブ(１８)と、図ａの場合裏面には爪ヤスリ(１９)と、図１４に示す長穴Ｂ(２２)と、各ブラシ(１)が倒れ込む部分にブラシ格納溝Ａ(２０)とブラシ格納溝Ｂ(２２)を設けて一体成型する。
（キ）  図１５の、一体成型のキャップハンドル(２３)は、内側をミラー(２９)と、両側にノブ切り欠き(２４)とキャップノブ(２５)、片端両側にヒンジ穴Ｂ(２６)と、ヒンジ穴Ｂ(２６)の中間にヒンジ切り欠き(２７)と、片方のヒンジ穴Ｂ(２６)の端隣にストラップ穴(２８)を設ける。
（ク）  図１９に示す３分割で一体となる、ヒンジカムシャフト(３１)の一部である２個のャフトピン(３３)は、２個ともシャフトピン(３２)の片方の太さがブラシボデー(１４)のヒンジ穴Ａ(１６)に嵌合してガタが無く回転するサイズにし、他方端はキャップハンドル(２３)のヒンジ穴Ｂ(２６)に嵌め込むサイズで、キャップハンドル(２３)とヒンジカム(３０)とを固定するためのビス穴(３３)を設けたもので、中央部にヒンジカム(３０)を配置し組み付ける。
（ケ）  ブラシボデー(１４)に各ピニオンシャフトＡ(１０)・ピニオンシャフトＢ(８)を組み付け、次に、ラックベース(５)を組み付ける、次に、カム溝(１３)にカムを嵌め込み、２個のキャップハンドル(２３)のヒンジ穴Ｂ(２６)にヒンジカムシャフト(３１)の２本のシャフトピン(３２)を嵌め込み、キャップハンドル(２３)をブラシボデー(１４)に被せて組み付け、次に、ヒンジカムシャフト(３１)のシャフトピン(３２)のビス穴(３３)にビスをねじ込み、ヘアーブラシ一体の組み付けとなる。
【００１７】
本発明は概ね以上の部品構成によりなっているが、詳細を以降に記載する。
【００１８】
（ア）  図７図８図９のブラシ部には、ブラシボデー(１４)に保持させるため両端に支ピン(３)を設けた図８のピニオンシャフトＢ(８)と図９のピニオンシャフトＡ(１０)の二種類を用意し、ピニオンシャフトＡ(１０)にはブラシ(１)を５本、ピニオンシャフトＢ(８)にはブラシ６本を各々軸方向一列に一体成型する。（ピニオンブラシ(６)の使用形態は以降の説明と共通するので割愛する。）
（イ）  ピニオンシャフトＡ(１０)・ピニオンシャフトＢ(８)の各々のブラシ(１)の位置は、図１８及び図６の図ａと図ｂに示すようにブラシ(１)が倒れた状態で、ピニオンシャフトＡ(１０)・ピニオンシャフトＢ(８)の最上部に軸方向と直角に配置する。
（ウ）  ピニオンギヤ(４)は、ラックベース(５)のラックギヤ(１１)に勘合させて、スライドするラックベース(５)により、ブラシ(１)を水平状態と垂直状態に±45°回転させるため、以降に記載する(００１６)の(イ)で説明する要領とする、又
（エ）  図１８の線Ａと線Ｂのように、ピニオンギヤ中央の歯先中心から±45°に引く延長線の外になる両部分は図のように各ピニオンシャフトＡ(１０)・ピニオンシャフトＢ(８)からカットすることで、各ピニオンシャフトＡ(１０)・ピニオンシャフトＢ(８)が±45°回転した時そのカット部分がラックベース(５)に平らに当たるため、各ピニオンシャフトＡ(１０)・ピニオンシャフトＢ(８)とラックベース(５)の座りが良く、ヘアーブラシ使用時にブラシＰ１はグラつかない。
（オ）  ヘアーブラシを折りたたんだ時、ブラシ(１)が真っ平らに倒れる手前で、各ピニオンシャフトＡ(１０)・ピニオンシャフトＢ(８)に当たり、真っ平らになるための障害になる、その障害を吸収するため、各ピニオンシャフトＡ(１０)・ピニオンシャフトＢ(８)には、各々ブラシ(１)の中間に切り欠き(７)を設ける。
（カ）  ピニオンシャフトＡ(１０)・ピニオンシャフトＢ(８)は交互に配置組み付けする。尚、図１３のブラシボデー(１４)のヒンジ部(１５)の反対側端に組み付けるピニオンシャフトＡ(１０)又はピニオンシャフトＢ(８)の切り欠き(７)は必要とはしない。
（キ）  各ピニオンシャフトＡ(１０)・ピニオンシャフトＢ(８)の材質は、ブラッシング時の使用感覚や、各ピニオンシャフトＡ(１０)・ピニオンシャフトＢ(８)をブラシボデー(１４)に組み付ける際、片側の支ピン(３)の長さ分折り曲げすることを考慮して、材質は柔軟性のものを使用する。
【００１９】
（ア）  図１０はスライドさせてピニオンシャフトＡ(１０)・ピニオンシャフトＢ(８)を90°回転させるためのラックベース(５)の図であり、ラックベース(５)をスライドさせるためのカム溝(１３)と、各ピニオンシャフトＡ(１０)・ピニオンシャフトＢ(８)を回転させるための所定数のラックギヤ(１１)を設ける。
（イ）  ヘアーブラシ本体を可能な限り薄型にするためラックベース(５)は薄くすることが望ましいが、強度を考慮してラックベース(５)に設ける各ラックギヤ(１１)は、ラックベース(５)の中央部と両側端を避けた位置に加工することが望ましい。
（ウ）  図１６の図ａと図ｂは、ヘアーブラシの横断面図であり、構造を、図１６の図ａの様にする場合は、ラックベース(５)がヘアーブラシ本体の裏の顔になる部位なので、以降に述べる（００２１）の(ウ)並びに(エ)の配慮が必要である。
（エ）  図６の図ａと図ｂ及び図１２の図ａと図ｂと図ｃは、ブラシ(１)の立時と倒時の、ラックベース(５)のスライドと各ピニオンシャフトＡ(１０)・ピニオンシャフトＢ(８)の回転の関係図である。
【００２０】
（ア）  図１３と図１４は、ヘアーブラシの主体の部分となるブラシボデー(１４)の図である。
ブラシボデー(１４)にピニオンシャフトＡ(１０)・ピニオンシャフトＢ(８)を組み付けし、ピニオンシャフトＡ(１０)・ピニオンシャフトＢ(８)が回転するようにクリアランスを設けた支ピン穴(１７)を左右に所定間隔で所定数開ける。
（イ）  ブラシボデー(１４)とラックベース(５)と図１５のキャップハンドル(２３)を図１９のヒンジカムシャフト(３１)で連結するためのヒンジ穴(１６)を開けたヒンジ部(１５)と、ブラシボデー(１４)とキャップハンドル(２３)の開閉用つまみであるオープンノブ(１８)を設ける。
（ウ）  更に、図１４のように、ブラシボデー(１４)の表面は、ピニオンシャフトＡ(１０)・ピニオンシャフトＢ(８)を所定数組み付けた時、ブラシ(１)及びピニオンシャフトＡ(１０)・ピニオンシャフトＢ(８)の上部を突出させるための所定数の長穴(２２)と、前記載（００１８）の(オ)同様、ブラシ(１)を倒した時、真っ平らになるようにブラシ(１)の本数分のブラシ格納溝Ａ(２０) ブラシ格納溝Ａ(２１)を設ける。
（エ）  長穴(２２)と各ピニオンシャフトＡ(１０)・ピニオンシャフトＢ(８)の隙間に頭髪の入り込みや咬み込み防止のため、その間隔は0.0mm以下にすることが望ましい。
【００２１】
（ア）  図１５は本発明のヘアーブラシのカバー及び柄ともなるキャップハンドル(２３)の図である。キャップハンドル(２３)には開閉時ラックベース(５)のヒンジフック(１２)と重りを防ぐヒンジ切り欠き(２７)、両側に開閉用つまみのキャップノブ(２５)、折りたたんだ時ブラシボデー(１４)のオープンノブ(１８)との重なりを防ぐ切り欠き(２４)と、
（イ）  キャップハンドル(２３)とブラシボデー(１４)とラックベース(５)とを図１９のヒンジカムシャフト(３１)で連結するための穴(前記(００１６)の(ク)の要領で)ヒンジ穴(２６)、手鏡用のミラー(２９)、ストラップ穴(２８)を設ける。
（ウ）  キャップハンドル(２３)はヘアーブラシの顔になる部位であり、作用や機能は同じでも、見栄えの善し悪しが「嬉しさや楽しさ」等の付加価値を左右するため、廉価のものはシンプルな素材素肌、中価格のものはウォータープリント、高価なものは鼈甲製とか、形状デザインや表面美装デザインも様々な工夫により付加価値を左右する部位である。
（エ）  図１図２図３図４図５及び各解説図のヘアーブラシの形状は長方形で記載してあるが、円形や楕円形などにデザインすることにより、上記(ウ）で述べたように付加価値を高め易い。
（オ）  キャップハンドル(２３)は折りたたみ式にしてあるが、スライド式も可能である。スライド式にすると以降に述べるヒンジカム機構が不要のため製作上有利であるが、手鏡感覚を重視する場合やおしゃれ感覚を考慮すると折り畳み式は多彩な形状にし易い点で有利である。
【００２２】
（ア）  図１７の図ａ図ｂ図ｃ図ｄは、キャップハンドル(２３)の開度によるブラシ(１)の立ち上がりの様子である。図ａはキャップハンドル(２３)の開度が全閉時であり、図ｂは45°開き、図ｃは90°開き、図ｄは180°全開時である。図から見るように全閉時から90°開きの間にはブラシ(１)は立ち上がらず、90°開時から180°全開時の間に立ち上がる様子である。
（イ）  90°開時くらいの時は手鏡として使用できる。
（ウ）  上記(ア）の作用は図１９のヒンジカム(３０)の形状と、図１０のカム溝(１３)の幅で決まるので以降説明する。
【００２３】
（ア）  図１８は各ピニオンシャフトＡ(１０)・ピニオンシャフトＢ(８)のギヤ部の拡大断面図であり、ピニオンギヤ(４)のピッチ円直径を10と仮定して計算するため、以降のヒンジカム(３０)とカム溝(１３)の決定サイズをそれに合わせて計算すると共に、ラックベース(５)のスライド開始をキャップハンドル(２３)が90°開いた時点を作動開始時とし、180°開いた時点をラックベース(５)の最大移動時として、下記方法でヒンジカム(３０)の形状とカム溝(１３)の幅を設定する。
（イ）  ブラシ(１)を90°倒立させるために、各ピニオンシャフトＡ(１０)・ピニオンシャフトＢ(８)を±45°回転させるとき、ピッチ円10の円周は、10×π÷(360°÷90°)≒7.85となり、ラックベース(５)は片道7.85のスライド量が必要になる。
（ウ）  この場合のヒンジカム(３０)の断面形状とカム溝(１３)の溝幅は、図２１の図ａ図ｂ図ｃで説明するが、基準値となるのが上記(イ）の7.85であり、図２１の図ａ図ｂの、Ｆ＝7.85となる。
（エ）  図２１の図ａ、１で中心を(Ｃ)にして半径7.85(Ｆ)の円(１)を書く（この時の円(１)の中心(Ｃ)がヒンジカムシャフト(３１)の中心になる。）、２で左真横7.85(Ｆ)に半径7.85(Ｆ)の円(２)を書き、３で円(２)の中心から45°の線(３)を書く。
（オ）  図２１の図ａ、４で円(２)の中心から45°の角度で半径7.85(Ｆ)の円(４)を書くが、この時、円(２)と円(４)を重ねた時の両円周の最大距離（3×7.85(Ｆ)＝）23.55をＤとする。
（カ）  図２１の図ａ、５で円(１)の中心から右7.85(Ｆ)に垂直線(５)を書き、６で円(２)の中心から左7.85(Ｆ)に垂直線(６)を書き、７で円(１)並びに円(２)の中心から上に（2×7.85(Ｆ)＝）15.7の水平線(７)を書く。垂直線(５)と垂直線(６)間がカム溝(１３)の幅になり、水平線(７)がカム溝(１３)の最小高さになるが、水平線(７)を15.7より小さくするとヒンジカム(３０)が回転する時接触し回転しなくなるため、カム溝(１３)の高さは15.7以上にすること。
（キ）  図２１の図ｂ、９で円(２)と円(４)の外接線を書く、８で円(２)と円(４)の外接円弧を書くが、この時、ヒンジカム(３０)の中心(Ｃ)から外接円弧の最大距離を（2×7.85(Ｆ)＝）15.7より大きくするとカム溝(１３)の中でヒンジカム(３０)が回転する時カム溝(１３)の幅よりヒンジカム(３０)が大きくなり回転しなくなるため、ヒンジカム(３０)外周と中心(Ｃ)の最大距離は15.7以下にすること。
（ク）  図２１の図ｃ、の(１０)がヒンジカム(３０)の断面で(１１)がヒンジカムシャフト(３１)の断面である。
（ケ）  図１９の図ａがヒンジカム(３０)とヒンジカムシャフト(３１)の一体斜視図であり、
（コ）  図２１の図ｃがヒンジカムシャフト(３１)とラックベース(５)のカム溝(１３)の図である。
【００２４】
（ア）  図２２の図ａ図ｂ図ｃ図ｄ図ｅは、キャップハンドル(２３)のヒンジ穴(２６)に固定されたヒンジカムシャフト(３１)及びヒンジカム(３０)の回転による、カム溝(１３)の動きでラックベース(５)のスライドする状況を示すもので、以下に説明する。
（イ）  図２２の図ａは、キャップハンドル(２３)が全閉でヒンジカム(３０)は０°回転時である、図ｃはヒンジカム(３０)が９０°回転時でラックベース(５)のスライドは無く、図ｅは、ヒンジカム(３０)が１８０°回転時であり、ラックベース(５)のスライドは最大の7.85になり、ブラシ(１)は直立する。(この時、図１８の線Ｂがラックベース(５)に安定して座った状態の時である。)
（ウ）  図ｆ図ｇ図ｈ図ｉ図ｊ図ｋは、以降キャップハンドル(２３)を全開から全閉方向に向かう説明図であり、図ｅのヒンジカム(３０)が１８０°回転状態でブラシ(１)が直立状態から、ヒンジカム(３０)の回転０°でラックベース(５)のスライド量が０の状態、つまりブラシ(１)が全倒状態になる過程を示す図である。
（エ）  図ｆは、前記(ウ)のキャップハンドル(２３)全開の図ｅ180°から−20°逆回転した時点である、この間ヒンジカム(３０)はカム溝(１３)を動かさない、つまり、20°遅れてラックベース(５)は閉じ方向に動き始める。
（オ）  図ｇは、ヒンジカム(３０)が135°回転時、図ｉはヒンジカム(３０)が90°回転時でありこの時点でカム溝(１３)は閉じの状態になり、ラックベース(５)はスライド量０の位置になる、つまり、ブラシ(１)は完全に倒れた状態になる。
（カ）  図ｉのヒンジカム(３０)が90°から図ｋの0°全閉の９０°間のキャップハンドル(２３)は空動きとなる。
【００２５】
組み付け方は、ブラシボデー(１４)の各支ピン穴(１７)に各ピニオンシャフトＡ(１０)・ピニオンシャフトＢ(８)を組み付け、各ブラシＢ１が全倒状態かつラックベース(５)のスライド量ゼロ状態で、ラックベース(５)のカム溝(１３)にヒンジカムシャフト(３１)を組み付け、ラックベース(５)をブラシ(１)が90°立つまでスライドし、キャップハンドル(２３)を全開状態で、キャップハンドル(２３)とヒンジカムシャフト(３１)を組み付け、ビス穴(３３)にビスをねじ込み固定する。
【００２６】
本発明は以上のような構成からなっている。
本発明を使用するときは、かさばらずポケットやハンドバックに常備し易いので、思わぬ動作や外出時に風などで頭髪が乱れたときはポケットから取り出してキャップハンドル(２３)を開きヘアーブラシとして使用し、裏側のミラーで髪の整い状況を確認でき、使用後はキャップハンドル(２３)を折りたたむだけ。
従来のヘアーブラシと比較して超薄型であり、手鏡や爪ヤスリ等身だしなみに便利なものを加工装備し易く、外観表面となるキャップハンドル(２３)に高級美装加工を施す、キャップハンドル(２３)を開いた内側には家族や友人の写真をセットするとか、おしゃれグッツやマスコット的な携帯品としても楽しめるほか、出張業務等でホテル宿泊のときに簡易な櫛の備しかない場合が多いので、旅行用品としても便利な、超薄型ポケット携帯用ヘアーブラシとして使用できる。
【図面の簡単な説明】
【００２７】
【図１】本発明のヘアーブラシの使用時の外観斜視図
【図２】本発明のヘアーブラシを折りたたんだ時の外観斜視図
【図３】本発明のヘアーブラシの使用時の側面図
【図４】本発明のヘアーブラシを折りたたんだ時の側面図
【図５】本発明のヘアーブラシを折りたたんだ時の平面図
【図６】本発明のラックベース(５)とピニオンギヤ(４)の作動説明図
【図７】本発明の部品ピニオンブラシ(６)の外観図
【図８】本発明の部品ピニオンシャフトＢ(８)の外観図
【図９】本発明の部品ピニオンシャフトＡ(１０)の外観図
【図１０】本発明の部品ラックベース(５)外観図
【図１１】本発明の部品ラックベース(５)と各ピニオンシャフトの組み付け外観斜視図
【図１２】本発明のブラシボデー(１４)ラックベース(５)とピニオンギヤ(４)の作動説明図
【図１３】本発明の部品ブラシボデー(１４)の外観斜視図
【図１４】本発明の部品ブラシボデー(１４)の外観上面図
【図１５】本発明のキャップハンドル(２３)の斜視図
【図１６】本発明の横断面図
【図１７】本発明のキャップハンドル(２３)とブラシ(１)の関連作動説明図
【図１８】本発明の部品ピニオンシャフトＡ(１０)の断面図
【図１９】本発明の部品ヒンジカムシャフトの外観図
【図２０】本発明のヒンジカムフック(１２)とヒンジカム(３０)の説明図
【図２１】本発明のカム溝(１３)とヒンジカム(３０)の説明図
【図２２】本発明のヒンジカム(３０)とラックベース(５)の関連作動説明図
【符号の説明】
【００２８】
１      ブラシ
２      ピニオンシャフト
３      支ピン
４      ピニオンギヤ
５      ラックベース
６      ピニオンブラシ
７      切り欠き
８      ピニオンシャフトＢ
９      マスコット写真
10      ピニオンシャフトＡ
ラックギヤ
ヒンジフック
カム溝
ブラシボデー
ヒンジ部
ヒンジ穴A
支ピン穴
オープンノブ
爪ヤスリ
ブラシ格納溝Ａ
ブラシ格納溝Ｂ
長穴
キャップハンドル
ノブ切り欠き
キャップノブ
ヒンジ穴B
ヒンジ切り欠き
ストラップ穴
ミラー
ヒンジカム
ヒンジカムシャフト
シャフトピン
ビス穴
【図１】
2007296175.tif 000003
【図２】
2007296175.tif 000004
【図３】
2007296175.tif 000005
【図４】
2007296175.tif 000006
【図５】
2007296175.tif 000007
【図６】
2007296175.tif 000008
【図７】
2007296175.tif 000009
【図８】
2007296175.tif 000010
【図９】
2007296175.tif 000011
【図１０】
2007296175.tif 000012
【図１１】
2007296175.tif 000013
【図１２】
2007296175.tif 000014
【図１３】
2007296175.tif 000015
【図１４】
2007296175.tif 000016
【図１５】
2007296175.tif 000017
【図１６】
2007296175.tif 000018
【図１７】
2007296175.tif 000019
【図１８】
2007296175.tif 000020
【図１９】
2007296175.tif 000021
【図２０】
2007296175.tif 000022
【図２１】
2007296175.tif 000023
【図２２】
2007296175.tif 000024